(57)【特許請求の範囲】
【請求項１】
貫通孔を有するケースと、
前記ケース内の電力回路部品の端子に固定されたブスバーと、
前記貫通孔を囲んで前記ケースの外表面に固定されるとともにケーブル側コネクタと嵌合するコネクタケースを有するケース側コネクタと、
を備える電力用電子回路装置の配線構造において、
前記ケース側コネクタは、
前記貫通孔を囲んで金属製の前記ケースの外表面に固定される前記コネクタケースとしての金属製のフランジ状筒部と、前記ブスバーが貫通する前記貫通孔よりも径小な貫通孔を有して前記フランジ状筒部の内周面と前記ケースの外表面に密着する電気絶縁部材と、コネクタピン端子をなす前記ブスバーとを有してなり、
前記ブスバーの端部は、前記ケースの前記貫通孔及び前記絶縁部材の前記貫通孔を順次貫通して前記ケース側コネクタ内に突出して前記ケース側コネクタのコネクタピン端子を兼ね、
前記フランジ状筒部は、前記コネクタピン端子としての前記ブスバーよりも前記ケースの外表面から遠ざかる向きに突出し、
前記ケーブル側コネクタは、
シールドケーブルに固定された基端部からフランジ状筒部を囲包可能に前記シールドケーブルの先端部を囲包する電気絶縁性の筒状カバーと、
前記シールドケーブルの先端に露出する導体芯線に基端部が固定されて前記ブスバーの先端部に嵌着可能に前記筒状カバーと略平行な方向へ延在する嵌着端子と、
前記筒状カバーの前記基端部と前記嵌着端子との間に位置して前記シールドケーブルのシールド金属部に基端部が固定されるとともに前記筒状カバー及び嵌着端子からそれぞれ離れて前記フランジ状筒部の内周面に密着可能に前記筒状カバー及び前記嵌着端子と略平行に延在するシールド端子と、
を有すること特徴とする電力用電子回路装置の配線構造。
【請求項２】
請求項１記載の電力用電子回路装置の配線構造において、
前記ケーブル側コネクタの前記筒状カバーは、
フランジ状筒部の先端面が全周にわたって密着可能な緩衝リング付きの座面を有することを特徴とする電力用電子回路装置の配線構造。
【請求項３】
請求項１または２記載の電力用電子回路装置の配線構造において、
前記シールド端子と前記嵌着端子との間に介設される電気絶縁性のスリーブ部材を有することを特徴とする電力用電子回路装置の配線構造。
【発明の詳細な説明】
【０００１】
【発明の属する技術分野】
本発明は、電力用電子回路装置の配線構造に関し、特にブスバーをもつ電力用電子回路装置の防水型配線構造に関する。
【０００２】
【従来の技術】
電力用電子回路装置の内部配線のうち大電流部分には、、安価で絶縁被覆除去処理などが不要のブスバーを採用するのが一般的である。
【０００３】
この種のブスバーをもつ電力用電子回路装置の配線構造の従来例を図２、図３に示す。
【０００４】
ブスバー１を電力用電子回路装置外の電気機器たとえばバッテリやモータなどと接続するために、電力用電子回路装置収容のための金属ケース２内にブスバー固定用の端子台３０を設け、金属ケース２に貫通孔２０を設け、この貫通孔２０から金属ケース２内に絶縁被覆ケーブル４０を挿入し、絶縁被覆ケーブル４０の先端を端子台３０に締結している。
【０００５】
絶縁被覆ケーブル４０としてシールド金属部をもつシールドケーブルを用いて電磁シールド機能を向上させる場合には、シールド金属部を金属ケース２に接続するために、絶縁被覆ケーブル４０の先端部にてシールド金属部を露出させ、シールド金属部の露出部分と金属ケース２とを接地用ワイヤ５０で接続している。
【０００６】
図２、図３では、電磁シールド機能の更なる向上のために、金属ケース２の貫通孔２０に筒状の金属ハウジング６０を固定し、シールドケーブルである絶縁被覆ケーブル４０に遊嵌されたリング状の金属ハウジング７０を筒状の金属ハウジング６０に螺着している。８０はグロメットである。
【０００７】
【発明が解決しようとする課題】
しかしながら、上記したブスバーを外部ケーブルに接続するための図２、図３に示す構造（たとえば商品名としてはスキントップとして知られている）は、部品点数が多く、構造が複雑であり、組み付け工数が煩雑であるという問題点があった。また、装置の大型化を招いていた。
【０００８】
本発明は上記事情に鑑みてなされたものであり、ブスバーと外部ケーブルとを、部品点数及び組み付け工数が少なく、構造が簡素な電力用電子回路装置の配線構造を提供することをその目的としている。
【０００９】
【課題を解決するための手段】
請求項１記載の電力用電子回路装置の配線構造は、貫通孔を有するケースと、前記ケース内の電力回路部品の端子に固定されたブスバーと、前記貫通孔を囲んで前記ケースの外表面に固定されるとともにケーブル側コネクタのコネクタケースと嵌合するコネクタケースを有するケース側コネクタとを備える電力用電子回路装置の配線構造において、
前記ケース側コネクタは、
前記貫通孔を囲んで金属製の前記ケースの外表面に固定される前記コネクタケースとしての金属製のフランジ状筒部と、前記ブスバーが貫通する前記貫通孔よりも径小な貫通孔を有して前記フランジ状筒部の内周面と前記ケースの外表面に密着する電気絶縁部材と、コネクタピン端子をなす前記ブスバーとを有してなり、
前記ブスバーの端部は、前記ケースの前記貫通孔及び前記絶縁部材の前記貫通孔を順次貫通して前記ケース側コネクタ内に突出して前記ケース側コネクタのコネクタピン端子を兼ね、
前記フランジ状筒部は、前記コネクタピン端子としての前記ブスバーよりも前記ケースの外表面から遠ざかる向きに突出していることを特徴としている。
【００１０】
すなわち、本構成によれば、ブスバーが、ケースの外表面に固定されたコネクタ（すなわちケーブル接続用のケース側端子構造）のピン状端子（実際は平板状）を兼ねているので、ブスバーとコネクタのコネクタピン端子との接続構造、接続作業、接続のための必要スペースを節約することができる。これにより、部品点数及び組み付け工数が少なく、構造が簡素な電力用電子回路装置の配線構造を実現することができる。
【００１１】
この発明の電力用電子回路装置の配線構造では更に、前記ケーブル側コネクタが、シールドケーブルに固定された基端部からフランジ状筒部を囲包可能に前記シールドケーブルの先端部を囲包する電気絶縁性の筒状カバーと、前記シールドケーブルの先端に露出する導体芯線に基端部が固定されて前記ブスバーの先端部に嵌着可能に前記筒状カバーと略平行な方向へ延在する嵌着端子と、前記筒状カバーの前記基端部と前記嵌着端子との間に位置して前記シールドケーブルのシールド金属部に基端部が固定されるとともに前記筒状カバー及び嵌着端子からそれぞれ離れて前記フランジ状筒部の内周面に密着可能に前記筒状カバー及び前記嵌着端子と略平行に延在するシールド端子とを有している。
【００１２】
すなわち、本構成によれば、金属ケースの外表面に突設される金属製のフランジ状筒部が、コネクタピン端子として機能するブスバーの先端部を囲包して、それを保護し、かつ、電磁シールドする。更に、このフランジ状筒部は、ケーブル側コネクタの電気絶縁性の筒状カバーに嵌入して、ケーブル側コネクタを支承、保持し、かつ、ケーブル側コネクタのシールド端子に密着して、このシールド端子を通じてシールドケーブルのシールド金属部を設置してシールドケーブルの導体芯線を電磁シールドする。
【００１３】
これにより、簡素な構造でシールドケーブル及びブスバー先端部を電磁シールドすることができる。
【００１４】
請求項２記載の構成は請求項１記載の電力用電子回路装置の配線構造において更に、前記ケーブル側コネクタの前記筒状カバーが、フランジ状筒部の先端面が全周にわたって密着可能な緩衝リング付きの座面を有するので、防水性も向上することができる。
【００１５】
請求項３記載の構成は請求項１または２記載の電力用電子回路装置の配線構造において更に、前記シールド端子と前記嵌着端子との間に介設される電気絶縁性のスリーブ部材を有することを特徴としている。
【００１６】
これにより、シールド端子と嵌着端子との間の電気絶縁性を向上することができるとともに、シールド端子の望ましくない変形を規制することができ、望ましい弾性変形を可能とするので、シールド端子とフランジ状筒部との接触抵抗を低減することができる。
【００１７】
【発明の実施の形態】
本発明の好適な実施態様を図面を参照して以下に説明する。図１は、この実施態様の電力用電子回路装置の配線構造を示す部分縦断面図を示す。
【００１８】
１は機器の内部配線に使用しているブスバー、２はアルミ製のケースの側壁、３はＯリング、４は金属製のフランジ状筒部、５は樹脂製の穴付きステム（電気絶縁部材）、６はスクリュ、７は大電流用のシールドケーブル、８はグロメット、９はシールドケーブル７のシールド網線（シールド金属部）、１０は樹脂製の筒状カバー、１１は嵌着端子、１２はシールド端子、１３は電気絶縁性のスリーブ部材、１４はパッキン（緩衝リング）である。
【００１９】
ブスバー１の先端部により構成されるコネクタピン端子、金属製のフランジ状筒部４、穴付きステム５、は本発明でいうケーブル側コネクタを構成し、グロメット８、樹脂製の筒状カバー１０、嵌着端子１１、シールド端子１２、電気絶縁性のスリーブ部材１３、パッキン１４は本発明でいうケーブル側コネクタを構成している。
【００２０】
ブスバー１は、ケース内の大電流回路部品（図示せず）の端子に締結されており、その先端部はケースの側壁２の貫通孔２０を貫通して外部に突出している。
【００２１】
フランジ状筒部４は、スクリュ６により貫通孔２０を囲んでケースの側壁２の外表面に固定されている。
【００２２】
樹脂製の穴付きステム（電気絶縁部材）５はフランジ状筒部４の内周面にはめ込まれてケースの側壁２の外表面に押しつけられている。ステム５はブスバー１が突出する貫通孔を有している。
【００２３】
シールドケーブル７の先端部に露出する導体芯線（図示せず）には嵌着端子１１がかしめ固定されている。この導体芯線は中間樹脂被膜で被覆され、その上にシールド網線９が被着され、その上に更に表面樹脂被膜が被覆されている。嵌着端子１１は、ブスバー１の先端部に良好に嵌着可能となっている。
【００２４】
シールド網線９は嵌着端子１１からシールドケーブル７の長手方向に所定距離離れて露出し、このシールド網線９に長板金属片からなるシールド端子１２の基端部がはんだ付けされている。電気絶縁性のスリーブ部材１３はシールド端子１２と嵌着端子１１との間に圧入されて両端子を絶縁分離している。シールド端子１２は湾曲しており、両コネクタの嵌合時にフランジ状筒部４の内周面により経方向内側に付勢されてフランジ状筒部４とシールド端子１２との密着性を向上している。同時に、シールド端子１２は上記付勢によりスリーブ部材１３の外周面に押しつけられて、両コネクタの外れを規制している。
【００２５】
筒状カバー１０は、シールド網線９からシールドケーブル７の長手方向に所定距離離れてシールドケーブル７に固定されその内側にグロメット８が固定されている。
筒状カバー１０の内周面にはフランジ状筒部４の先端面が接するパッキン１４付きの段差面が形成されている。
【００２６】
なお、筒状カバー１０の先端部にリブを設け、フランジ状筒部４の外周面にこのリブが嵌合する凹部を設け、抜け止めストッパ構造としてもよい。
【００２７】
本構造によれば、ケーブル側コネクタをケース側コネクタにはめ込むだけで、嵌着端子１１とブスバー１、シールド端子１２とフランジ状筒部４とを良好に密着させることができ、更に、筒状カバー１０がそれらを囲覆する構造を採用しているので、結合が簡素であり、部品点数が少なく、電磁シールド性及び防水性に優れた配線構造を実現することができる。
【００２８】
更に説明すると、ブスバー１の先端部及び嵌着端子１１を電磁シールド及び機械保護するフランジ状筒部４が、シールドケーブル７のシールド網線９に接地電位を給電する給電部材を兼ねるので、シールド網線９を接地するための接地配線を余分に必要としないという利点をもつ。
【００２９】
なお、パッキン１４の代わりにフランジ状筒部４の外周面にＯリングを設けてもよい。
【００３０】
なお、電磁シールドが必要ない場合は、シールド網線９を省略し、フランジ状筒部４を樹脂製に変更することができる。
【図面の簡単な説明】
【図１】本発明の電力用電子回路装置の配線構造の実施態様を示す部分縦断面図である。
【図２】ブスバーをもつ電力用電子回路装置の従来配線構造を示す部分水平断面図である。
【図３】図２に示すブスバーをもつ電力用電子回路装置の従来配線構造の部分垂直断面図である。
【符号の説明】
１  ブスバー（コネクタピン端子）
２  ケースの側壁（ケース）
２０  貫通孔
４  フランジ状筒部（ケース側のコネクタケース）    ５  ステム（電気絶縁部材）
１０  筒状カバー
１１  嵌着端子
１２  シールド端子
１４  パッキン（緩衝リング）
１３  スリーブ部材
【図１】
0004228532.tif 000002
【図２】
0004228532.tif 000003
【図３】
0004228532.tif 000004